(57)【特許請求の範囲】
【請求項１】
管状体に挿入し使用する、管状体の内壁面及び急激に拡大した段差部を下方に有する管状体の段差部の天面を清掃可能な清掃具であって、
棒状体と、
前記棒状体の一端に固定された固定支持体、該固定支持体に一端を回動自在に連結する第一リンクアーム、該第一リンクアームの他端と一端を回動自在に連結する第二リンクアーム、該第二リンクアームの他端を回動自在に支持する前記棒状体に摺動自在に取付けられた摺動支持体、及び該摺動支持体を前記棒状体の軸線方向に動かし又は固定するための該摺動支持体に取付けられた紐状体を備える回動手段と、
前記第二リンクアームと連結する側の前記第一リンクアームの先端に突出するように固定され、管状体の内壁面又は段差部の天面に先端を当接させ管状体の内壁面又は段差部の天面を清掃する清掃手段と、
を含み、
前記回動手段は、前記清掃手段の先端を、前記棒状体の軸線を含む平面内で、前記固定支持体を通る水平線に対して平行、上向き及び下向きに回動可能なことを特徴とする清掃具。
【請求項２】
前記清掃手段を複数個備え、前記清掃手段が、前記棒状体の周方向に略均等に配設されていることを特徴とする請求項１に記載の清掃具。
【請求項３】
前記清掃手段と前記回動手段とが、前記棒状体の軸線方向に複数個設けられていることを特徴とする請求項１又は２に記載の清掃具。
【請求項４】
前記棒状体は、複数の短い棒状体と、
該短い棒状体を着脱可能に連結する連結手段と、
を含むことを特徴とする請求項１から３のいずれか１に記載の清掃具。
【請求項５】
前記棒状体は、さらに前記固定支持体が固定されている端部と反対側の端部に、前記棒状体の軸線に垂直に固着されたハンドルを備えることを特徴とする請求項１から４のいずれか１に記載の清掃具。
【請求項６】
前記棒状体は、さらに前記ハンドルが固着されている端部の先端に、前記棒状体を吊り上げ可能な係止手段を備えることを特徴とする請求項５に記載の清掃具。
【請求項７】
請求項６に記載の清掃具と、
該清掃具の棒状体に設けられた係止手段に係止し、該清掃具を鉛直方向に移動可能に支持する棒状体支持装置と、
を含むことを特徴とする清掃装置。
【請求項８】
請求項１から６のいずれか１に記載の清掃具を用いた、サイクロン本体の下部に集じん室を有するサイクロンの清掃方法であって、
サイクロンの上部に設けられたガス出口管から、前記清掃手段を閉じた状態で、前記清掃手段の先端が該集じん室の上部壁面を通過するまで前記棒状体を挿入し、
前記紐状体を緩めることで清掃手段を開き、前記棒状体と前記紐状体とをいっしょに引き上げ前記清掃手段の先端を該集じん室の上部壁面に当接させ、
前記棒状体を回動させ、該集じん室の上部壁面を清掃することを特徴とするサイクロンの清掃方法。
【発明の詳細な説明】
【技術分野】
【０００１】
本発明は、配管、煙突、容器などの管状体の内壁面に付着する付着物を除去し管体を清掃する清掃具、及びこれを用いた清掃装置に関する。またサイクロンの清掃方法に関する。
【背景技術】
【０００２】
配管、煙突、容器などの内壁面の清掃には、ブラシが多く用いられ、これを用いて配管に付着した煤、粉体などの被清掃物を掻き取ることで、配管などの清掃を行っている。配管などが長い場合にあっては、棒の先端にブラシを取付け使用されることが多い。またブラシ以外にも、配管の内面を清掃するための清掃具が開発されている。
【０００３】
配管の内壁面を清掃する際に、配管が直管であれば比較的清掃は容易であるが、配管に曲り部や、拡大縮小などの段差を有する場合は、清掃が難しいことは周知のところである。この他、配管径が徐々に減少あるいは拡大するテーパ部を有する配管の掃除も容易ではなく、配管の長さが長く、また配管径が大きい場合にはさらに清掃が困難となる。
【０００４】
図８は、従来の配管の清掃方法の一例を示す図であって、加圧流動床発電設備で使用しているマルチサイクロン集じん装置１を、清掃している様子を示す図である。マルチサイクロン集じん装置１は、下部に粉じんの切出し装置２を備えており、サイクロン３は、圧力容器４の中に多数収納されており、圧力容器４の内径は数メートルにも及び、サイクロン３の高さも数メートルに及ぶ。またサイクロン３は、下部に集じん室５を備えているため、サイクロン３の下部に段差が生じている。このためサイクロン３の上部から集じん室を清掃することが困難となり、清掃員は、サイクロン３の下方から清掃する必要が生じる。これに伴い、清掃用の足場６が必要となる。さらに清掃員はサイクロン３の下方から清掃するので、粉じんを被ってしまう。このように大型のサイクロンの清掃は容易ではない。
【０００５】
曲り部を有する配管の内壁面の清掃を容易に行うための清掃具として、複数個のスポンジ状の払拭子を屈曲自在に連結可能な連結体で直列に連結し、これらをワイヤーで連結する清掃具が開発されている（例えば特許文献１参照）。また、テーパ部を有するサイクロンの清掃装置として、中心支持材に清掃ワイヤーを取付け、さらに中心支持材の両端に係止具、及び回転駆動装置を備えたサイクロン清掃装置が開発されている（例えば特許文献２参照）。
【特許文献１】特開２００３−１３６０３１号公報
【特許文献２】特開平９−７９５６３号公報
【発明の開示】
【発明が解決しようとする課題】
【０００６】
配管に曲り部を有する場合にあっては、特許文献１に記載の清掃具を適用することは可能と思われる。また、テーパ部を有する配管にあっては、特許文献２に記載の技術を適用することは可能と思われる。しかしながら、配管の途中が拡大したり、縮小している場合には、これらの段差部は特許文献１、及び特許文献２に記載の清掃具で清掃することはできない。
【０００７】
従来から使用されているブラシを用いて、段差部を有する配管の内壁面を清掃するには、各々の配管を別々に清掃しなければならず、清掃に多くの時間を必要としていた。配管の設置場所によっては、配管の下から上に向かって清掃する必要も生じ、清掃者が灰を被る場合もある。また配管、管形状の装置など管体の形状により清掃具を使い分けると、多くの清掃具が必要となり、コストアップになる。以上のことから、適用範囲が広く簡単でかつ使いやすい清掃具の開発が待たれている。
【０００８】
本発明の目的は、簡単な構造でかつ使いやすく、適用範囲の広い清掃具、清掃装置を提供することにある。また本発明の目的は、清掃が容易なサイクロンの清掃方法を提供することにある。
【課題を解決するための手段】
【０００９】
本発明は、管状体に挿入し使用する、管状体の内壁面及び急激に拡大した段差部を下方に有する管状体の段差部の天面を清掃可能な清掃具であって、
棒状体と、
前記棒状体の一端に固定された固定支持体、該固定支持体に一端を回動自在に連結する第一リンクアーム、該第一リンクアームの他端と一端を回動自在に連結する第二リンクアーム、該第二リンクアームの他端を回動自在に支持する前記棒状体に摺動自在に取付けられた摺動支持体、及び該摺動支持体を前記棒状体の軸線方向に動かし又は固定するための該摺動支持体に取付けられた紐状体を備える回動手段と、
前記第二リンクアームと連結する側の前記第一リンクアームの先端に突出するように固定され、管状体の内壁面又は段差部の天面に先端を当接させ管状体の内壁面又は段差部の天面を清掃する清掃手段と、
を含み、
前記回動手段は、前記清掃手段の先端を、前記棒状体の軸線を含む平面内で、前記固定支持体を通る水平線に対して平行、上向き及び下向きに回動可能なことを特徴とする清掃具である。
【００１３】
また本発明は、前記清掃手段を複数個備え、前記清掃手段が、前記棒状体の周方向に略均等に配設されていることを特徴とする請求項１に記載の清掃具である。
【００１４】
また本発明は、前記清掃手段と前記回動手段とが、前記棒状体の軸線方向に複数個設けられていることを特徴とする請求項１又は２に記載の清掃具である。
【００１５】
また本発明で、前記棒状体は、複数の短い棒状体と、
該短い棒状体を着脱可能に連結する連結手段と、
を含むことを特徴とする請求項１から３のいずれか１に記載の清掃具である。
【００１６】
また本発明で、前記棒状体は、さらに前記固定支持体が固定されている端部と反対側の端部に、前記棒状体の軸線に垂直に固着されたハンドルを備えることを特徴とする請求項１から４のいずれか１に記載の清掃具である。
【００１７】
また本発明で、前記棒状体は、さらに前記ハンドルが固着されている端部の先端に、前記棒状体を吊り上げ可能な係止手段を備えることを特徴とする請求項５に記載の清掃具である。
【００１８】
また本発明は、請求項６に記載の清掃具と、
該清掃具の棒状体に設けられた係止手段に係止し、該清掃具を鉛直方向に移動可能に支持する棒状体支持装置と、
を含むことを特徴とする清掃装置である。
【００１９】
また本発明は、請求項１から６のいずれか１に記載の清掃具を用いた、サイクロン本体の下部に集じん室を有するサイクロンの清掃方法であって、
サイクロンの上部に設けられたガス出口管から、前記清掃手段を閉じた状態で、前記清掃手段の先端が該集じん室の上部壁面を通過するまで前記棒状体を挿入し、
前記紐状体を緩めることで清掃手段を開き、前記棒状体と前記紐状体とをいっしょに引き上げ前記清掃手段の先端を該集じん室の上部壁面に当接させ、
前記棒状体を回動させ、該集じん室の上部壁面を清掃することを特徴とするサイクロンの清掃方法である。
【発明の効果】
【００２０】
本発明の清掃具は、棒状体と、管状体の内壁面又は段差部の天面に先端を当接させ管状体の内壁面又は段差部の天面を清掃する清掃手段と、前記清掃手段の先端を、前記棒状体の軸線を含む平面内で、前記固定支持体を通る水平線に対して平行、上向き及び下向きに
回動可能な回動手段と、を含むので、構造が簡単であり、これを管状体に挿入することで管状体の内壁面又は段差部の天面を容易に清掃することができる。回動手段は、棒状体の一端に固定された固定支持体、該固定支持体に一端を回動自在に連結する第一リンクアーム、該第一リンクアームの他端と一端を回動自在に連結する第二リンクアーム、該第二リンクアームの他端を回動自在に支持する前記棒状体に摺動自在に取付けられた摺動支持体、及び該摺動支持体を前記棒状体の軸線方向に動かし又は固定するための該摺動支持体に取付けられた紐状体を備え、清掃手段は、第二リンクアームと連結する側の第一リンクアームの先端に突出するように固定されているので、清掃手段は、第一リンクアームと一体的に動き、紐状体を引っ張り又は緩めることで清掃手段を開閉させることができ、紐状体の位置を固定することで清掃手段の開閉角度も固定させることができる。上記のように紐状体を操作することで、清掃手段の開閉角度を任意の角度に調節し、清掃手段の先端を、前記固定支持体を通る水平線に対して平行、上向き及び下向きにすることができるので、配管に拡大部、縮小部、又は段差部があっても、管内の清掃を行うことが可能であり、幅広い配管に適用することができる。
【００２４】
また本発明によれば、清掃手段を複数個備え、清掃手段が、棒状体の周方向に均等に配設されているので、効率的に配管の内壁面を清掃することが可能となり、使いやすい。
【００２５】
また本発明の清掃具は、清掃手段と回動手段とを、棒状体の軸線方向に複数個備えているので、効率的に配管の内壁面を清掃することが可能となり、使いやすい。例えば配管に局所的な拡管部があっても、拡管していない管体と拡管部とを同時に清掃することができる。
【００２６】
また本発明によれば、棒状体は、複数の短い棒状体と、短い棒状体を着脱可能に連結する連結手段と、を含むので、長い配管の内壁面を清掃する場合であっても、棒状体を連結し、棒状体の長さを長くすることで容易に清掃することができる。一方、多くの棒状体を連結することなく、棒状体を短くすることで、長さの短い配管の清掃が容易となる。また棒状体を短くすることで、保管も容易となる。
【００２７】
また本発明によれば、棒状体は、さらに固定支持体が固定されている端部と反対側の端部に、棒状体の軸線に垂直に固着されたハンドルを備えるので、ハンドルを回動又は回転させることで、清掃手段が配管内で周方向に動き、配管の内壁面を効率的に短時間で清掃することができる。ハンドルが備えられているので、清掃手段を配管内で周方向に動かすことが容易である。
【００２８】
また本発明の清掃具は、さらにハンドルが固着されている棒状体の端部の先端に、棒状体を吊り上げ可能な係止手段を備えるので、この係止手段に清掃具を支持可能な装置を取り付けることで、清掃具を手で支持する必要がなく、大きな清掃具であっても取扱が容易となる。
【００２９】
また本清掃装置は、本発明の清掃具と、清掃具の棒状体に設けられた係止手段に係止し、清掃具を鉛直方向に移動可能に支持する棒状体支持装置と、を備えるので、本清掃装置を用いて、容易に配管の内壁面を清掃することができる。
【００３０】
また本発明のサイクロンの清掃方法は、サイクロン本体の下部に集じん室を有するサイクロンの清掃方法であって、サイクロンの上部に設けられたガス出口管から、本発明の清掃具の清掃手段を閉じた状態で、清掃手段の先端が集じん室の上部壁面を通過するまで棒状体を挿入し、紐状体を緩めることで清掃手段を開き、棒状体と紐状体とをいっしょに引き上げ清掃手段の先端を集じん室の上部壁面に当接させ、棒状体を回動させ、集じん室の上部壁面を清掃するので、サイクロン本体の下部に集じん室を有するサイクロンであっても、作業者が汚れることなく、容易に清掃することができる。
【発明を実施するための最良の形態】
【００３１】
図１は本発明の実施の一形態としての清掃具１０の概略的な構成を示す図である。本清掃具１０は、配管内に付着する粉じんなどを清掃する清掃具であって、パイプなどの棒状体２０の端部２１に、リンク機構３０を介して清掃用ブラシ５０が回動可能に取り付けられている。配管を清掃する場合は、本清掃具１０を配管に挿入し、リンク機構３０を介して清掃用ブラシ５０を配管の内壁に当接させ使用する。リンク機構３０は、第一リンクアーム３１（３１ａ、３１ｂ、３１ｃ（図示省略）、３１ｄ（図示省略））、第二リンクアーム３２（３２ａ、３２ｂ、３２ｃ（図示省略）、３２ｄ（図示省略））、固定支持体３３（３３ａ、３３ｂ、３３ｃ、３３ｄ（図示省略））、摺動支持体３４、及び摺動支持体３４に結ばれた紐状体３５を含み構成される。
【００３２】
パイプ２０の一端部２１には、第一リンクアーム３１を回動可能に支持する固定支持体３３が固着され、この固定支持体３３には、第一リンクアーム３１が支軸３６（３６ａ、３６ｂ）を介して、回動可能に取り付けられている。本実施形態では固定支持体３３ａ、３３ｂ、３３ｃ、３３ｄ（図示省略）は、パイプ２０の断面を４分割する位置に均等に配設されており、各々の固定支持体３３に第一リンクアーム３１ａ、３１ｂ、３１ｃ（図示省略）、３１ｄ（図示省略）が連結している。固定支持体３３は、パイプ２０に直接、溶接などの固着手段で固着することも可能であるが、パイプ２０に嵌合可能な例えば円筒体の周囲に予め固定支持体３３を固着したものをパイプ２０に固着してもよい。本実施形態のように数が多い場合は、後者の方が製造が容易であろう。
【００３３】
第一リンクアーム３１ａ、３１ｂは、一端３７ａ、３７ｂを固定支持体３３ａ、３３ｂと回動可能に連結するとともに、他端３８ａ、３８ｂを第二リンクアーム３２ａ、３２ｂと支軸３９ａ、３９ｂを介して、回動可能に連結する。一端４０ａ、４０ｂを第一リンクアーム３１ａ、３１ｂと回動可能に連結する第二リンクアーム３２ａ、３２ｂは、他端４１ａ、４１ｂを支軸４２ａ、４２ｂを介して摺動支持体３４と連結する。摺動支持体３４は、パイプ２０に摺動可能に取付けられたスライドスリーブ４５と、スライドスリーブ４５の周囲に均等に４つ設けられた第二リンクアーム支持体４６ａ、４６ｂ、４６ｃ、４６ｄ（図示省略）を含み構成されている。第二リンクアーム支持体４６が固着されたスライドスリーブ４５には、紐状体３５を取付け可能な係止部４７が設けられており、この係止部４７に紐状体３５が取り付けられており、紐状体３５の長さはパイプ２０の長さよりも長い。
【００３４】
紐状体３５は、摺動支持体３４をパイプ２０の軸線方向に動かすことで、第一リンクアーム３１と第二リンクアーム３２との連結部４８をパイプ２０の軸線方向に動かす駆動手段として機能する。よって紐状体としてロープ、ワイヤー、細い棒などを利用することができる。
【００３５】
第一リンクアーム３１ａ、３１ｂと第二リンクアーム３２ａ、３２ｂの連結部４８ａ、４８ｂの近傍に清掃用のブラシ５０ａ、５０ｂが取り付けられている。清掃用ブラシ５０ａ、５０ｂは、第一リンクアーム３１ａ、３１ｂの端部３８ａ、３８ｂに固着されたブラシ固定台５１ａ、５１ｂに、Ｕボルト５２ａ、５２ｂ、５３ａ、５３ｂで着脱可能に取付けられている。よって清掃用ブラシ５０ａ、５０ｂが摩耗した場合であっても、容易に取り替えることができる。
【００３６】
清掃手段５０は、ブラシ５０ａ、５０ｂに限定されるものではない。ブラシのほかにも、ゴム弾性を有する板状体、スポンジなどを使用することができる。またブラシの材質も特定の材質に限定されるものではないので、清掃する管体の材質を考慮し、金属、樹脂材料を選定すればよい。
【００３７】
パイプ２０は、比較的短いパイプ２２を連結して、パイプ２０を長くして使用することができる。本実施形態では、延長用パイプ２２の一端にパイプに嵌合可能な円筒部材２３を溶接にて固定し、この延長用パイプ２２をパイプ２４に挿入し、パイプ２４及び円筒部材２３に穿設された貫通孔にボルト２５を貫通させ固定している。パイプ２０の延長方法は、この方法に限定されないので、パイプ２４及び延長パイプ２２をニユオンで連結してもよい。またパイプ２４及び延長パイプ２２の両端にフランジを設け、これを連結してもよい。
【００３８】
連結方法はさらにこれら以外の方法であってもよいが、簡単にパイプ２０を延長することが可能な方法が好ましい。また、本清掃具１０は、パイプ２０を回転、回動することで、清掃手段５０を回転、回動させ使用するため、パイプ２０の延長手段は、これらの操作に伴い、連結部が緩まないことが必要である。パイプ２０を延長可能に構成することで、長い配管の内壁面を清掃する場合であっても、パイプ２２を連結し、パイプ２０の長さを長くすることで容易に清掃することができる。一方、多くのパイプを連結することなく、パイプを短くすることで、長さの短い配管の清掃が容易となる。またパイプを短くすることで、保管も容易となる。
【００３９】
またパイプ２０の一端部２６には、ハンドル２７がパイプ２０に直交して設けられている。ハンドル２７は、パイプ２０に容易に着脱可能な方法、例えばパイプ２０に貫通孔を設け、貫通孔に挿入するような方法が好ましい。これより上記に記したパイプ２０の延長を容易に行うことができる。ハンドル２７を装着することで、パイプ２０を容易に回転、回動させることが可能となり、清掃を容易に行うことができる。
【００４０】
また、パイプ２０のハンドル２７が固着されている端部２６の先端には、パイプ２０を吊り上げ可能な係止手段２８が設けられている。係止手段２８は、ホイスト（図示を省略）などでパイプ２０を吊り上げる際に使用するもので、例えばアイボルト２８が該当する。本清掃具１０はパイプ２０の先端２６に係止手段２８を有するので、ホイストなどを用いて、清掃具１０を吊り上げることが可能となり、清掃員が清掃具１０が支持しておく必要がなく、楽に配管の清掃を行うことができる。パイプ２０は、リンク機構３０等を支持するともに、清掃手段５０を所定の場所まで送る機能を有する。よってこれら機能を有するものあれば、パイプに限定されることなく、中実材、角材などの棒状体を使用することも可能である。
【００４１】
次に本清掃具１０の使用方法を、垂直な配管の内壁面を清掃する場合を例にとり説明する。固定支持体３３を下方に、ハンドル２７を上方にして、清掃手段５０を閉じた状態で配管内に挿入する。清掃手段５０を閉じた状態とは、清掃手段５０、つまり清掃用ブラシ５０ａ、５０ｂがパイプ２０に近接した状態を言う。図２は、図１の清掃用ブラシ５０ａ、５０ｂが閉じた状態を示す図である。清掃用ブラシ５０ａ、５０ｂは、次ぎの要領で閉じることができる。
【００４２】
スライドスリーブ４５に取付けられた紐状体３５を引上げると、スライドスリーブ４５はパイプ２０の壁面を摺動しながら引き上げられる。スライドスリーブ４５は第二リンクアーム支持体４６を介して、第二リンクアーム３２と連結しているので、スライドスリーブ４５が引き上げられることで、第二リンクアーム３２も引き上げられる。第二リンクアーム３２の他端４０は、第一リンクアーム３１の一端３８と連結し、第一リンクアーム３１の他端３７は、固定支持体３３によりパイプ２０の軸方向への動きが止められているため、第一リンクアーム３１と第二リンクアーム３２の連結部４８は、スライドスリーブ４５を引き上げることでパイプ２０に近づき、スライドスリーブ４５を下げることでパイプ２０から離れる。
【００４３】
つまり、第二リンクアーム３２をパイプ２０の軸線方向に移動させることで、第一リンクアーム３１と第二リンクアーム３２との連結部４８は、パイプ２０の軸線を含む平面内で回動する。これに伴い、第一リンクアーム３１と第二リンクアーム３２の連結部４８近傍の第一リンクアーム３１の一端３８に取り付けられた清掃用ブラシ５０は、固定支持体３３を起点にパイプ２０の軸線を含む平面内で回動する。図１は、清掃用ブラシ５０ａ、５０ｂが最大に開いた状態を示す図である。
【００４４】
スライドスリーブ４５を引き上げ、清掃手段５０を閉じた状態で、清掃しようとする配管内に挿入し後、配管の内壁面に清掃手段５０が当接するまで、紐状体３５を緩めスライドスリーブ４５を下げる。スライドスリーブ４５は、パイプ２０に摺動可能に取り付けられ、第二リンクアーム３２を連結するため、紐状体３５を緩めると自重で下がる。図３は図１の清掃具１０の清掃用ブラシ５０ａ、５０ｂを、配管の傾斜部７０に当接させている状態を示す図である。清掃用ブラシ５０ａ、５０ｂが配管の内壁面７１に当接すると、紐状体３５をその状態で維持し、清掃用ブラシ５０ａ、５０ｂの開閉角度を固定する。
【００４５】
この状態でパイプ２０の上端２６に設けたハンドル２７を回転、回動させることで、清掃用ブラシ５０ａ、５０ｂが配管の周方向に動く。これにより簡単に配管の内壁面７１を清掃することができる。特に本実施形態に示した清掃具は、パイプ２０の周方向に４つの清掃用ブラシ５０ａ、５０ｂ、５０ｃ（図示を省略）、５０ｄ（図示を省略）を有するので、パイプ２０の回動範囲を大きくする必要がなく、容易に配管の内壁面を清掃することができる。
【００４６】
清掃が終了した後は、再度スライドスリーブ４５を引き上げ、清掃用ブラシ５０ａ、５０ｂを閉じた状態で清掃具１０を引き上げる。これにより清掃用ブラシ５０ａ、５０ｂが配管の内壁面に接触した状態で引き上げられることがなく、引き上げ操作も容易に行うことができる。
【００４７】
図１から図３に示した実施形態では、清掃手段５０を固定支持体３３を中心に棒状体２０の軸線を含む平面内で回動させる回動手段として、棒状体２０に取付けられ棒状体２０の軸線方向に沿って移動するリンク機構３０を用いた例を示したけれども、清掃手段５０を固定支持体３３を中心に棒状体２０の軸線を含む平面内で回動させる回動手段は、これに限定されるものではない。
【００４８】
図４は本発明の第二の実施形態としての清掃具８０の概略的な構成を示す図である。第一の実施形態に対応する部分については、同一の符号を付して説明を省略する。本実施形態では、第一の実施形態とは異なり、第二リンクアーム、摺動支持体が設けられていない。第一の実施形態で、スライドスリーブ４５に固着されていた紐状体３５が、第一リンクアーム３１ａ、３１ｂの端部３８ａ、３８ｂに直接固着されている。第二の実施形態においても、紐状体３５ａ、３５ｂを動かすことで、第一リンクアーム３１ａ、３１ｂは固定支持体３３ａ、３３ｂを起点に、パイプ２０の軸線を含む平面内で回動する。これに伴い第一リンクアーム３１ａ、３１ｂの端部３８ａ、３８ｂに固着された清掃用ブラシ５０ａ、５０ｂを、パイプ２０の軸線を含む平面内で回動させることが可能となり、清掃用ブラシ５０ａ、５０ｂを任意の開閉角度にすることができる。なお、第一の実施形態と異なり、各第一リンクアーム３１ａ、３１ｂ各々に紐状体３５ａ、３５ｂが取り付けられているので、清掃用ブラシ５０ａ、５０ｂの開閉角度を各々別々に設定することも可能である。
【００４９】
図５は、本発明の第三の実施形態としての清掃具１００の概略的な構成を示す図であるである。第一の実施形態に対応する部分については、同一の符号を付して説明を省略する。第三の実施形態に示す清掃具１００は、第一及び第二の実施形態と異なり、リンク機構３０、１３０及び清掃手段５０、１５０が、パイプ２０の軸線方向に二段に設けられている。上下二段の各々リンク機構３０、１３０は、第一の実施形態に示すリンク機構と同一である。上下二段のリンク機構３０、１３０は、各々単独で動かすことができるので、上下で清掃用ブラシ５０、１５０の開閉角度を変更することができる。よって段差を有するような配管であっても、段差前後の配管を同時に清掃することが可能となり、効率的に清掃を行うことができる。第一、第二及び第三の実施形態に示す清掃手段５０は、紐３５を緩めることで、摺動支持体３４と反対方向にも回動する。清掃手段５０を摺動支持体３４と反対方向にも回動させることが可能なため、さらに清掃が容易となり、清掃範囲が広がる。
【００５０】
第一から第三の実施形態では、紐状体を引っ張り、又は緩めることで清掃具の清掃用ブラシ５０、１５０の開閉角度を決めている。清掃具１０、８０、１００を垂直な方向に使用する場合は、リンクアームなどの自重で、紐状体３５が引っ張られる。これにより、紐状体としてロープ、ワイヤなどを使用していても、紐状体３５の位置を固定しておれば、清掃用ブラシ５０の開閉角度もほぼ一定に保たれる。しかし水平方向の配管を清掃するような場合にあっては、紐状体としてロープ、ワイヤなどを使用すると、紐状体３５の位置を固定していても清掃用ブラシ５０、１５０の角度が変動しやすい。紐状体３５として変形しない細い棒状体を使用すれば、水平配管に本清掃具１０、８０、１００を使用しても、清掃用ブラシ５０、１５０の開閉角度をほぼ一定に保持した状態で使用することができる。
【００５１】
図６は、本発明の第一の実施形態としての清掃具１０を用いて、サイクロンの清掃を行っている様子を示す図である。ここに示したサイクロンは、図８に示したマルチサイクロン集じん装置１の一部を示すものであり、サイクロン３の下部に集じん室５を備えるサイクロンである。背景技術の欄で説明した従来のサイクロンの清掃方法では、サイクロン３の下部から清掃員がサイクロンの清掃を行っていたが、本発明の清掃具１０を使用すれば、サイクロンの上部から清掃することができる。
【００５２】
次ぎに、サイクロン３の下部に集じん室５を備えるサイクロン３の集じん室５の上部壁面（天面）７の清掃方法の手順を説明する。なお、本清掃方法は一例を示すのみで、ここに示す方法に限定されないことは言うまでもない。サイクロン３の上部に設けられたガス出口管８から、清掃具１０の清掃用ブラシ５０を閉じた状態で、清掃用ブラシ５０の先端が集じん室５の上部壁面７を通過するまでパイプ２０を挿入する。本清掃のように、サイクロン３の上部に十分な空間がないような場合にあっては、短いパイプを継ぎ足し、パイプを延長し使用する。これにより、上部空間が少なく、かつ清掃対象の配管などの長さが長い場合であっても、容易に清掃することができる。
【００５３】
清掃用ブラシ５０の先端が集じん室５の上部壁面７を通過するまでパイプ２０を挿入した後、スライドスリーブ４５を引き上げている紐状体３５を緩め、スライドスリーブ４５を下げる。これによりリンク機構３０を通じて清掃用ブラシ５０が開く。紐状体３５とパイプ２０とをいっしょに引き上げ、清掃用ブラシ５０の先端を集じん室５の上部壁面７に当接させる。この状態でパイプ２０を回動させることで、集じん室５の上部壁面７を清掃することができる。清掃が終了した後は、パイプ２０、紐状体３５を下げ、紐状体３５を引き上げ清掃用ブラシ５０を閉じ、パイプ２０を引き上げる。この際パイプ２０が延長されている場合は、順次、延長パイプを取外す。
【００５４】
図６に示したサイクロンの清掃方法では、スライドスリーブ４５を駆動させる紐状体３５を滑車９ａ、９ｂ、及び図示を省略したホイストで保持しているため、清掃が容易である。清掃具１０自身も、パイプ２０先端に設けられた係止手段２８を利用してチェーンブロックなどで吊り上げておけば、さらに清掃が容易となる。以上のように大型のサイクロンであっても、清掃員も汚れることなく容易に清掃することができる。
【００５５】
清掃具を支持可能な支持手段としては、図１に示したパイプを吊り上げ可能な係止手段２８に代り、棒状体２０の途中に棒状体に直交するように支持棒２９を設けてもよい。図７は、本発明の第四の実施形態としての清掃具１１０の正面図の一部を示す図である。第一の実施形態に対応する部分については、同一の符号を付して説明を省略する。第四の実施形態では、図１に示すパイプの先端に設けた係止手段２８に代り、棒状体２０の途中に棒状体に直交するように支持棒２９を設けている。この支持棒２９を清掃しようとする配管９０の端部９１に引っ掛けることで、清掃手段５０などを支持することができる。これにより、管体などの清掃を容易に行うことができる。
【図面の簡単な説明】
【００５６】
【図１】本発明の実施の一形態としての清掃具１０の概略的な構成を示す図である。
【図２】図１の清掃具１０の清掃用ブラシ５０ａ、５０ｂが閉じた状態を示す図である。
【図３】図１の清掃具１０の清掃用ブラシ５０ａ、５０ｂを、配管の傾斜部７０に当接させている状態を示す図である。
【図４】本発明の第二の実施形態としての清掃具８０の概略的な構成を示す図である。
【図５】本発明の第三の実施形態としての清掃具１００の概略的な構成を示す図である。
【図６】本発明の第一の実施形態としての清掃具１０を用いて、サイクロンの清掃を行っている様子を示す図である。
【図７】本発明の第四の実施形態としての清掃具１１０の正面図の一部を示す図である。
【図８】従来の配管の清掃方法の一例を示す図であって、加圧流動床発電設備で使用しているマルチサイクロン集じん装置１を、清掃している様子を示す図である。
【符号の説明】
【００５７】
３                    サイクロン
５                    集じん室
７                    集しん室の上部壁面
１０                  清掃具
２０                  パイプ
２２                  延長パイプ
２３                  パイプ連結手段
２７                  ハンドル
２８                  係止手段
３０                  リンク機構
３１                  第一リンクアーム
３２                  第二リンクアーム
３３                  固定支持体
３４                  摺動支持体
３５                  紐
４５                  スライドスリーブ
４６                  第二リンクアーム支持体
４８                  連結部
５０                  清掃用ブラシ
８０、１００、１１０  清掃具
【図１】
0004450770.tif 000002
【図２】
0004450770.tif 000003
【図３】
0004450770.tif 000004
【図４】
0004450770.tif 000005
【図５】
0004450770.tif 000006
【図６】
0004450770.tif 000007
【図７】
0004450770.tif 000008
【図８】
0004450770.tif 000009